【手続補正書】
【提出日】平成16年1月29日(2004.1.29)
【手続補正１】
【補正対象書類名】明細書
【補正対象項目名】特許請求の範囲
【補正方法】変更
【補正の内容】
【特許請求の範囲】
【請求項１】
回転速度と印可電圧とを制御されて二成分現像剤を担持する現像剤担持体と、
表面電位を制御されて、前記現像剤担持体から供給されたトナーによりトナー像を形成する感光体とを備えた画像形成装置において、
前記現像剤担持体の前記回転速度、前記印可電圧の直流成分、前記感光体の前記表面電位の少なくとも一つを変化させて画像を形成する特殊モードへ切り換えるモード切換手段を備える事を特徴とする画像形成装置。
【請求項２】
前記モード切換手段は、前記感光体に形成されたトナー像が転写される転写材が透明なシート材か否かを検出する光学センサの出力値に応じて、前記特殊モードへ切り換える事を特徴とする請求項１に記載の画像形成装置。
【請求項３】
前記モード切換手段は、手動で前記特殊モードへ切り換える手動切換手段である事を特徴とする請求項１に記載の画像形成装置。
【請求項４】
前記特殊モードでの前記現像剤担持体の前記回転速度、前記印可電圧の直流成分、前記感光体の前記表面電位は、前記二成分現像剤の雰囲気湿度を検出する湿度センサの出力値と前記現像剤担持体の駆動時間の累積として記憶された累積駆動時間との少なくとも一方に応じて変化せしめるように制御する事を特徴とする請求項１、２又は３に記載の画像形成装置。
【請求項５】
発光信号に応じて前記感光体を露光する露光手段を備え、
前記特殊モードへ切り替わると、前記特殊モードでの濃度階調性の変化を補正する階調性補正値テーブルを用いて前記発光信号を制御する事を特徴とする請求項１、２、３又は４に記載の画像形成装置。
【請求項６】
露光強度信号に応じて前記感光体を露光する露光手段を備え、
前記特殊モードへ切り替わると、前記特殊モードでの濃度階調性の変化を補正する補正値を露光強度信号に加えて前記発光信号を制御する事を特徴とする請求項１、２、３又は４に記載の画像形成装置。
【請求項７】
回転速度と印可電圧とを制御されて二成分現像剤を担持する現像剤担持体と、前記二成分現像剤に含まれるトナーを帯電するトナー帯電手段とを備える現像器と、
表面電位を制御されて、前記現像剤担持体から供給されたトナーによりトナー像を形成する感光体とを備えた画像形成装置において、
前記トナー帯電手段の連続動作時間に応じて、前記現像剤担持体の前記回転速度、前記印可電圧の直流成分、前記感光体の前記表面電位の少なくとも一つを変化させる事を特徴とする画像形成装置。
【請求項８】
回転速度と印可電圧とを制御されて二成分現像剤を担持する現像剤担持体と、前記二成分現像剤に含まれるトナーを帯電するトナー帯電手段と前記現像剤担持体とを備える現像器と、
表面電位を制御されて、前記現像剤担持体から供給されたトナーによりトナー像を形成する感光体とを備えた画像形成装置において、
前記二成分現像剤の雰囲気湿度を検出する湿度センサの出力値と、前記トナー帯電手段の連続動作時間とに応じて、前記現像剤担持体の前記回転速度、前記印可電圧の直流成分、前記感光体の前記表面電位の少なくとも一つを変化させる事を特徴とする画像形成装置。
【請求項９】
前記画像形成装置の出力する印刷枚数を計数する計数手段を備え、
前記印刷枚数に基づいて前記連続動作時間を判断する事を特徴とする請求項７又は８に記載の画像形成装置。
【請求項１０】
更に前記二成分現像剤の雰囲気温度を検出する温度センサを備え、
前記雰囲気温度に基づいて前記連続動作時間を判断する事を特徴とする請求項７、８又は９に記載の画像形成装置。
【請求項１１】
前記感光体に形成されたトナー像を記録紙に転写する転写手段と、
記録紙に転写されたトナー像を熱定着せしめる熱定着手段とを備え、
前記熱定着手段の連続停止時間に応じて、前記連続動作時間の初期化を行う事を特徴とする請求項８に記載の画像形成装置。
【手続補正２】
【補正対象書類名】明細書
【補正対象項目名】００１８
【補正方法】変更
【補正の内容】
【００１８】
【課題を解決するための手段】
本発明の目的は、請求項１、７又は８に記載の画像形成装置により解決できる。即ち請求項１に記載の画像形成装置は、回転速度と印可電圧とを制御されて二成分現像剤を担持する現像剤担持体と、
表面電位を制御されて、前記現像剤担持体から供給されたトナーによりトナー像を形成する感光体とを備えた画像形成装置において、
前記現像剤担持体の前記回転速度、前記印可電圧の直流成分、前記感光体の前記表面電位の少なくとも一つを変化させて画像を形成する特殊モードへ切り換えるモード切換手段を備える事を特徴とする。


【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】変更
【補正の内容】
【００２９】
請求項１に記載の画像形成装置によれば、キャリア現像が発生した条件下で、画像の不良が広範囲に発生し易い剛性の高い記録材を用いても画像不良の影響する範囲を抑制する事が可能となった。


【手続補正１４】
【補正対象書類名】明細書
【補正対象項目名】００３０
【補正方法】変更
【補正の内容】
【００３０】
又、請求項７に記載の画像形成装置は、回転速度と印可電圧とを制御されて二成分現像剤を担持する現像剤担持体と、前記二成分現像剤に含まれるトナーを帯電するトナー帯電手段とを備える現像器と、
表面電位を制御されて、前記現像剤担持体から供給されたトナーによりトナー像を形成する感光体とを備えた画像形成装置において、
前記トナー帯電手段の連続動作時間に応じて、前記現像剤担持体の前記回転速度、前記印可電圧の直流成分、前記感光体の前記表面電位の少なくとも一つを変化させる事を特徴とする。


【手続補正１５】
【補正対象書類名】明細書
【補正対象項目名】００３１
【補正方法】変更
【補正の内容】
【００３１】
請求項７に記載の画像形成装置によれば、キャリア現像が発生した条件下で、画像の不良が広範囲に発生し易い剛性の高い記録材を用いても画像不良の影響する範囲を抑制する事が可能となった。


【手続補正１６】
【補正対象書類名】明細書
【補正対象項目名】００３２
【補正方法】変更
【補正の内容】
【００３２】
又、請求項８に記載の画像形成装置は、回転速度と印可電圧とを制御されて二成分現像剤を担持する現像剤担持体と、前記二成分現像剤に含まれるトナーを帯電するトナー帯電手段と前記現像剤担持体とを備える現像器と、
表面電位を制御されて、前記現像剤担持体から供給されたトナーによりトナー像を形成する感光体とを備えた画像形成装置において、
前記二成分現像剤の雰囲気湿度を検出する湿度センサの出力値と、前記トナー帯電手段の連続動作時間とに応じて、前記現像剤担持体の前記回転速度、前記印可電圧の直流成分、前記感光体の前記表面電位の少なくとも一つを変化させる事を特徴とする。


【手続補正１７】
【補正対象書類名】明細書
【補正対象項目名】００３３
【補正方法】変更
【補正の内容】
【００３３】
請求項８に記載の画像形成装置によれば、キャリア現像が発生した条件下で、画像の不良が広範囲に発生し易い剛性の高い記録材を用いても画像不良の影響する範囲を抑制する事が可能となった。